(57)【要約】  トランスポートブロックの繰り返しを通信するためのシステム、方法、及び装置が、開示される。ワイヤレスデバイスによって実行される例示的方法は、第１の開始及び長さペアを有する２つ以上の送信に対応する無線リソースの割り当てを受信することを含み、各送信は、トランスポートブロックの繰り返しを含み、第１の開始及び長さペアのうちの少なくとも１つは、時間領域割り当て制約に違反する。ワイヤレスデバイスは、時間領域割り当て制約に違反しないように２つ以上の送信の第２の開始及び長さペアを決定する。ワイヤレスデバイスは、決定された第２の開始及び長さペアに従って２つ以上の送信を送信する。【選択図】図７
2021522712.tif 000002
【特許請求の範囲】
【請求項１】
トランスポートブロックの繰り返しを送るためのワイヤレスデバイス（６１０）によって実行される方法（７０２、７０４、７０６）であって、
第１の開始及び長さペアを有する、２つ以上の送信に対応する無線リソースの割り当てを受信すること（７０２）であって、各送信はトランスポートブロックの繰り返しを含み、前記第１の開始及び長さペアのうちの少なくとも１つは、時間領域割り当て制約に違反する、２つ以上の送信に対応する無線リソースの割り当てを受信すること（７０２）と、
前記時間領域割り当て制約に違反しないように前記２つ以上の送信の第２の開始及び長さペアを決定すること（７０４）と、
前記決定された第２の開始及び長さペアに従って前記２つ以上の送信を送信すること（７０６）と
を含む、方法。
【請求項２】
前記時間領域割り当て制約に違反する前記第１の開始及び長さペアのうちの前記少なくとも１つについて、（ｉ）第１の開始値以上の第２の開始値及び／又は（ｉｉ）第１の長さの値未満の第２の長さの値を決定すること
をさらに含む、請求項１に記載の方法。
【請求項３】
前記時間領域割り当て制約に違反する前記第１の開始及び長さペアのうちの前記少なくとも１つについて、（ｉ）第１の開始及び長さペア、又は（ｉｉ）第２の開始及び長さペアに基づいて、トランスポートブロックサイズを決定すること
をさらに含む、請求項１又は２に記載の方法。
【請求項４】
設定された様々な開始及び長さのエントリのテーブルから第２の開始及び長さペアを決定すること
をさらに含む、請求項１から３のいずれか一項に記載の方法。
【請求項５】
スロット境界位置に基づいて第２の開始及び長さペアを決定すること
をさらに含む、請求項１から４のいずれか一項に記載の方法。
【請求項６】
スロット境界位置及び第１の長さに基づいて第２の開始及び長さペアを決定すること
をさらに含む、請求項１から５のいずれか一項に記載の方法。
【請求項７】
トランスポートブロックの繰り返しを受信するための基地局（６６０）によって実行される方法（７０２、７０４、７０６）であって、
第１の開始及び長さペアを有する、２つ以上の送信に対応する無線リソースの割り当てを送信すること（７０２）であって、各送信はトランスポートブロックの繰り返しを含み、前記第１の開始及び長さペアのうちの少なくとも１つは、時間領域割り当て制約に違反する、２つ以上の送信に対応する無線リソースの割り当てを送信すること（７０２）と、
時間領域割り当て制約に違反しないように前記２つ以上の送信の第２の開始及び長さペアを決定すること（７０４）と、
前記決定された第２の開始及び長さペアに従って前記２つ以上の送信を受信すること（７０６）と
を含む、方法。
【請求項８】
前記時間領域割り当て制約に違反する前記第１の開始及び長さペアのうちの前記少なくとも１つについて、（ｉ）第１の開始値以上の第２の開始値及び／又は（ｉｉ）第１の長さの値未満の第２の長さの値を決定すること
をさらに含む、請求項７に記載の方法。
【請求項９】
前記時間領域割り当て制約に違反する前記第１の開始及び長さペアのうちの前記少なくとも１つについて、（ｉ）第１の開始及び長さペア、又は（ｉｉ）第２の開始及び長さペアに基づいて、トランスポートブロックサイズを決定すること
をさらに含む、請求項７又は８に記載の方法。
【請求項１０】
設定された様々な開始及び長さのエントリのテーブルから第２の開始及び長さペアを決定すること
をさらに含む、請求項７から９のいずれか一項に記載の方法。
【請求項１１】
スロット境界位置に基づいて第２の開始及び長さペアを決定すること
をさらに含む、請求項７から１０のいずれか一項に記載の方法。
【請求項１２】
スロット境界位置及び第１の長さに基づいて第２の開始及び長さペアを決定すること
をさらに含む、請求項７から１１のいずれか一項に記載の方法。
【請求項１３】
コンピュータ可読プログラムコードを記憶する非一時的コンピュータ可読媒体（６３０）を備えるコンピュータプログラム製品であって、前記コンピュータ可読プログラムコードが、処理回路（６２０）によって実行されるときに、請求項１から６に記載の方法のいずれかを実行するよう動作可能である、コンピュータプログラム製品。
【請求項１４】
コンピュータ可読プログラムコードを記憶する非一時的コンピュータ可読媒体（６８０）を備えるコンピュータプログラム製品であって、前記コンピュータ可読プログラムコードは、処理回路（６７０）によって実行されるときに、請求項７から１２に記載の方法のいずれかを実行するよう動作可能である、コンピュータプログラム製品。
【請求項１５】
トランスポートブロックの繰り返しを通信するためのシステムであって、
請求項１から６に記載の方法（７０２、７０４、７０６）のいずれかを実行するように設定された処理回路（６２０）を含むワイヤレスデバイス（６１０）と、
前記ワイヤレスデバイス（６１０）に通信可能に結合された基地局（６６０）であって、請求項７から１２に記載の方法（７０２、７０４、７０６）のいずれかを実行するように設定された処理回路（６７０）を含む基地局と
を備える、システム。
【発明の詳細な説明】
【技術分野】
【０００１】
本開示は、概して通信に関し、より詳細には、無線アクセスネットワーク及び関連ネットワークノードにおけるトランスポートブロックの繰り返しの通信に関する。
【背景技術】
【０００２】
新無線（ＮＲ：Ｎｅｗ  Ｒａｄｉｏ）において、スロットは、１４シンボルになるように規定され、サブフレームは１ｍｓである。したがって、サブフレームの長さは、Ｌｏｎｇ−Ｔｅｒｍ  Ｅｖｏｌｕｔｉｏｎ（ＬＴＥ）にあるとおりであるが、ヌメロロジに応じて、サブフレームごとのスロットの数は、変化する。６ＧＨｚ未満のキャリア周波数に関して、ヌメロロジ１５ｋＨｚ及び３０ｋＨｚサブキャリア間隔（ＳＣＳ：Ｓｕｂ−Ｃａｒｒｉｅｒ  Ｓｐａｃｉｎｇ）が、サポートされ、一方、６０ｋＨｚ  ＳＣＳは、ユーザ機器（ＵＥ：ｕｓｅｒ  ｅｑｕｉｐｍｅｎｔ）のためのオプションである。１５ｋＨｚ  ＳＣＳは、通常のサイクリックプレフィックスのＬＴＥヌメロロジに等しい。ＮＲは、２つのタイプの送信をサポートする：タイプＡ及びタイプＢ。タイプＡは、通常は、スロットベースと呼ばれ、一方、タイプＢ送信は、非スロットベース又はミニスロットベースと呼ばれ得る。
【０００３】
ミニスロット送信は、動的にスケジューリングすることができ、リリース１５（Ｒｅｌ−１５）では、以下に従うことになる：
（１）ダウンリンク（ＤＬ）及びアップリンク（ＵＬ）において長さ７、４、又は２シンボルになり得、そして、
（２）スロット内の任意のシンボルで開始及び終了することができる。
【０００４】
実際には、ミニスロット送信は、スロット内のシンボルで開始しないことになり、そうではなくて、設定されたＤＬ制御検索空間（ＣＯＲＥＳＥＴ）のパターンに従うことになる。ミニスロットごとの設定されたＤＬ制御検索空間（たとえば、ダウンリンク制御情報（ＤＣＩ：Ｄｏｗｎｌｉｎｋ  Ｃｏｎｔｒｏｌ  Ｉｎｆｏｒｍａｔｉｏｎ）が所与のミニスロットにおいて受信され得る、制御チャネル要素（ＣＣＥ：Ｃｏｎｔｒｏｌ  Ｃｈａｎｎｅｌ  Ｅｌｅｍｅｎｔ）セットのユニオン）の位置は、対応する送信時間間隔（ＴＴＩ：Ｔｒａｎｓｍｉｓｓｉｏｎ  Ｔｉｍｅ  Ｉｎｔｅｒｖａｌ）における物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）送信のために利用可能なシンボル空間を規定することになる。
【０００５】
タイプＢ送信は、レイテンシを低減するので、超高信頼低レイテンシ通信（ＵＲＬＬＣ：Ｕｌｔｒａ−Ｒｅｌｉａｂｌｅ  Ｌｏｗ−Ｌａｔｅｎｃｙ  Ｃｏｍｍｕｎｉｃａｔｉｏｎ）のために重要であり、その送信は、スケジューリング及び送信が次のスロットを待つ必要がある、スロットベースの送信よりも、早くスケジューリング及び開始することができる。
【０００６】
繰り返し又はアグリゲーションは、トランスポートブロック（ＴＢ：ｔｒａｎｓｐｏｒｔ  ｂｌｏｃｋ）送信がＫ回繰り返され得る／再送信され得る、ＮＲによってサポートされる特徴である。したがって、ＴＢの繰り返しは、非ＨＡＲＱベースの再送信と見なすことができ、すなわち、すべてのＫ回のＴＢ再送信／繰り返しは、Ｋ回の送信のセット内の任意の特定の送信が正確に復号されたか否かを知ることなく、連続的ＴＴＩを使用して、実行される。レイテンシ要件が、レイテンシ要件に違反せずにはＨＡＲＱベースの再送信が不可能であるほど厳しいとき、繰り返しは、ロバスト性を向上させるための機能である。
【発明の概要】
【０００７】
本開示に記載の例は、低レイテンシ動作を維持し、データ送信のために利用可能な限られた量のリソースを活用しつつ、データ送信のロバスト性を高める。他の利点が、当業者には容易に明らかとなり得る。ある種の実施形態は、列挙された利点のうちのいずれも有さない、いくつかを有する、又はすべてを有することがある。
【０００８】
１つ又は複数のコンピュータのシステムが、それらのソフトウェア、ファームウェア、ハードウェア、又はそれらの組合せを、動作中にアクションをシステムに実行させるシステムにインストールされることによって、特定の動作又はアクションを実行するように設定され得る。１つ又は複数のコンピュータプログラムが、データ処理装置によって実行されるときにその装置にアクションを実行させる命令を含むことによって、特定の動作又はアクションを実行するように設定され得る。１つの一般的態様は、トランスポートブロックの繰り返しを送るためにワイヤレスデバイスによって実行される方法を含み、本方法は、以下を含む：第１の開始及び長さペアを有する２つ以上の送信に対応する無線リソースの割り当てを受信すること、各送信はトランスポートブロックの繰り返しを含み、第１の開始及び長さペアのうちの少なくとも１つは、時間領域割り当て制約に違反する。本方法はまた、時間領域割り当て制約に反しないような２つ以上の送信の第２の開始及び長さペアを決定することを含む。本方法はまた、決定された第２の開始及び長さペアに従って２つ以上の送信を送信することを含む。この態様の他の実施形態は、本方法のアクションを実行するようにそれぞれ設定された、対応するコンピュータシステム、装置、及び、１つ又は複数のコンピュータ記憶デバイスに記録されたコンピュータプログラムを含む。
【０００９】
１つの一般的態様は、トランスポートブロックの繰り返しを受信するために基地局によって実行される方法を含み、本方法は、以下を含む：第１の開始及び長さペアを有する２つ以上の送信に対応する無線リソースの割り当てを送信すること、各送信はトランスポートブロックの繰り返しを含み、第１の開始及び長さペアのうちの少なくとも１つは、時間領域割り当て制約に違反する。本方法はまた、時間領域割り当て制約に違反しないように２つ以上の送信のための第２の開始及び長さペアを決定することを含む。本方法はまた、決定された第２の開始及び長さペアによる２つ以上の送信を受信することを含む。この態様の他の実施形態は、本方法のアクションを実行するようにそれぞれ設定された、対応するコンピュータシステム、装置、及び、１つ又は複数のコンピュータ記憶デバイスに記録されたコンピュータプログラムを含む。
【図面の簡単な説明】
【００１０】
【図１】いくつかの実施形態による、スロット境界の近くの物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）繰り返しのスケジューリングを示すブロック図である。
【図２】いくつかの実施形態による、スロット境界を横断しないときのＰＵＳＣＨ繰り返しのスケジューリングを示すブロック図である。
【図３】いくつかの実施形態による、スロット境界の近くのＰＵＳＣＨ繰り返しのスケジューリングを示すブロック図である。
【図４】いくつかの実施形態による、スロット境界の近くのＰＤＳＣＨ繰り返しのスケジューリングを示すブロック図である。
【図５】いくつかの実施形態による、ＰＤＳＣＨ繰り返しのスケジューリングを示すブロック図である。
【図６】いくつかの実施形態による、ワイヤレスネットワークを示すブロック図である。
【図７】いくつかの実施形態による、ワイヤレスデバイス（たとえば、ユーザデバイス）及び／又は関連ネットワークノード（たとえば、基地局）によって実行され得る、無線アクセスネットワークにおけるトランスポートブロックの繰り返しを通信するための方法を示す流れ図である。
【発明を実施するための形態】
【００１１】
ここで、発明の概念が、発明の概念の実施形態の例が示されている添付の図面を参照して、以下でさらに十分に説明される。しかしながら、発明の概念は、多数の異なる形で実施することができ、本明細書に記載された実施形態に制限されるものとして解釈されるべきではない。そうではなくて、本開示が、徹底的で完全なものとなり、本発明の概念の範囲を当業者に十分に伝えるように、これらの実施形態は、提供される。これらの実施形態は相互に排他的ではないことにも留意されたい。１つの実施形態の構成要素は別の実施形態にも存在する／使用されることが暗黙のうちに想定され得る。
【００１２】
現在、従来の通信技法には、ある種の課題が存在する。たとえば、ヌメロロジ及びミニスロット長のある特定のペアの複雑化をもたらすスロット境界を送信が横断しない可能性があることを必要とするＲｅｌ−１５制限が存在する。３０ｋＨｚ  ＳＣＳに関して、サブフレーム（１ｍｓ）内に２８直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルが存在し、これは、スロット境界の間に１４シンボルが存在することを意味する（すなわち、０．５ｍｓスロットが３０ｋＨｚ  ＳＣＳに適用される）。スケジューリング及びチャネル設定を簡単にするために、各ＴＴＩが４シンボルを有する７ＴＴＩに２８ＯＦＤＭシンボルを分割することが魅力的となり得、それぞれのＴＴＩは、通常のやり方でスケジューリングされることになる。しかしながら、そのような分割を行うとき、スロット境界は、第４のＴＴＩ／ミニスロットの中央にあり、すべてのミニスロットを等しく扱うことは不可能であることを意味する（すなわち、第４のミニスロットは、スロット境界によって二等分される）。
【００１３】
ＮＲ  Ｒｅｌ−１５に関して、繰り返しの数Ｋは、半静的に設定されるが、時間領域割り当て（スロット内の開始及び長さ）は、ＤＣＩメッセージで動的に信号伝達され得る。時間領域割り当ての動的シグナリングは、設定された様々な開始及び長さのエントリのテーブルを指すインジケータである。これは、送信バンドル（すなわち、Ｋ回の繰り返しのセット）がスケジューリングされるとき、スケジューラは、所与の繰り返しのために使用される各シンボルがスロット境界を横断しないように、各送信の長さを選択する、ということを意味する。
【００１４】
以下に、スケジューラが名目４ＯＦＤＭシンボルＴＴＩ持続期間を有する各繰り返しをスケジューリングすることを意図していることと、繰り返しの設定された数が３であることとを想定した、例が示される。スロット境界は、縦の破線で示され、縦の実線は、ＴＴＩを表し、そして、ブロックは、トランスポートブロックを表す。
【００１５】
図１は、スロット境界の近くの物理アップリンク共有チャネル（ＰＵＳＣＨ）繰り返しのスケジューリングを示す例示的ブロック図である。塗りつぶされたブロック１０２は、ＤＬキャリアでの物理ダウンリンク制御チャネル（ＰＤＣＣＨ）でのＵＬグラント送信を示し、一方、影付きのブロック（たとえば、１０４）は、２ＯＦＤＭシンボル長ＰＵＳＣＨ送信の３回の繰り返しを示す。
【００１６】
図１は、ＴＴＩごとの名目４シンボル持続期間は、スロット境界を横断する第１の繰り返しをもたらすことになるので、使用することができない場合（その場合、ＴＴＩごとの２シンボル持続期間が、図示するようにオプションになる）を示す。したがって、課題は、ネットワーク及びＵＥが、動的に設定されたグラントが、文字通り取られた場合、時間領域割り当て制約に違反する（すなわち、繰り返しごとのシンボルの名目数が、境界制約に直面する）とき、それによって処理の方法を黙示的に決定することができる、方法をもたらすことである。
【００１７】
図２は、スロット境界を横断しないときのＰＵＳＣＨ繰り返しのスケジューリングを示す例示的ブロック図である。塗りつぶされたブロック２０２は、ＤＬキャリアでのＰＤＣＣＨでのＵＬグラント送信を示し、一方、影付きのブロック（たとえば、２０４）は、４ＯＦＤＭシンボル長ＰＵＳＣＨ送信の３回の繰り返しを示す。
【００１８】
図２は、ＴＴＩごとの名目４シンボル持続期間が、スロット境界を横断する第１の繰り返しをもたらさないので、使用することが可能である場合を示す。これは、第１の繰り返しが、ＴＴＩごとのシンボルの名目数を使用して送られるとき、それがスロット境界を横断しないように、第１の繰り返しに関連するグラントの送信を遅らせるネットワークによって実現することができる。ＤＣＩは、次のスロットにおける（開始，長さ）＝（０，４）を示し、４ＯＦＤＭシンボルのＴＴＩ持続期間を有して、ＵＥは、他の送信の開始／長さを（４，４）及び（８，４）に決定することになる。ネットワークがグラントを送ることを決定するポイントは、ＵＥがアップリンク送信をいつ行う必要があるかのより高いレイヤ知識によって決定され得（たとえば、ネットワークは、任意の所与のＵＥがアップリンクペイロードを送る必要がある時刻を知り得）、そのようなものとして、アップリンクグラントの送信における任意の遅延は、時刻と緊密に同期してアップリンクペイロードを送信しようと試みるＵＥベースのアプリケーションに悪い影響を与え得る、ということに留意されたい。
【００１９】
したがって、（ａ）必要なときに（すなわち、スロット境界問題の回避を最適化するために遅らせられない）アップリンクグラントが送られることを可能にする、（ｂ）設定された名目送信パラメータ（繰り返しの数Ｋ及び繰り返しごとのシンボルの目標数）を可能な限り最大限にＵＥに尊重させる、及び（ｃ）スロット境界の横断の回避の要件によりシンボルの名目数を使用して送ることができないＫ回の繰り返しのうちの第１の繰り返しをもたらすアップリンクグラントを受信することに応答して、ＵＥが名目送信パラメータをどの程度逸脱することになるかをＵＥが動的に判定することを可能にする方法は、有益であると考えられる（たとえば、図３を参照）。類似の手法は、ダウンリンク送信について行うことができ、ｅＮＢ／ｇＮＢは、どこにスロット境界が存在するかを考慮して、それがどこでＫ回の繰り返しのうちの第１の繰り返しを送るかを動的に調節することができる（たとえば、図４及び５を参照）。
【００２０】
前述の例と類似の例は、繰り返しを有するダウンリンク送信についても見出すことができる。
【００２１】
本開示のある種の態様及びそれらの実施形態は、これらの又は他の課題に対する解決策を提供することができる。開示される実施形態の基本概念は、Ｋ回のトランスポートブロックの繰り返しのうちの第１の繰り返しを送るためのリソースでＵＥがスケジューリングされる場合を考慮し、開始及び長さの値の第１のペア（すなわち、第１の開始場所は、ＤＣＩによって指示されるように決定され、第１の長さの値は、繰り返しごとのシンボルの設定された数によって決定される）は、時間領域割り当て制約に違反する（すなわち、繰り返しごとのシンボルの名目数は、境界制約により不可能である）。ＵＥは、以下のような、これらの送信違反をもたらす動的アップリンクグラントを受信したときにＫ回の繰り返しのうちの第１の繰り返しを送信するために使用するための開始及び長さの値の代替の第２のペアを黙示的に（たとえば、自律的に）決定する：
・  第２の開始位置は、第１の開始位置以上である（すなわち、第２の開始位置は、第１の開始位置と同時又は第１の開始位置の後に生じる）
・  第２の長さの値は、第１の長さの値未満である
・  第２の開始位置及び第２の長さの値は、時間領域割り当てに違反しない。
【００２２】
ここで、開始は、スロット境界に関する開始場所を指し、たとえば、開始＝０は、スロットの第１のシンボルに対応し、一方、長さは、ＯＦＤＭシンボルにおける各繰り返しの名目時間持続期間（たとえば、各繰り返しのために使用されるＯＦＤＭシンボルの名目数量）を指す。
【００２３】
したがって、本明細書で開示される技法は、以下のステップ／動作のうちの１つ又は複数を含み得る：
・  ＵＥは、動的グラント、又は、時間領域割り当て制約の違反をもたらす（すなわち、スロット境界は、違反される必要がある）Ｋ回のＴＢ繰り返しのうちの第１の繰り返しの送信を開始するための開始及び長さの値の第１のペアを提供するダウンリンク割り当てを受信する、或いは、
ＵＥは、時間領域割り当て制約に違反するＫ回のＴＢ繰り返しのうちの第１の繰り返しをもたらす半永続的スケジューリング（ＳＰＳ：Ｓｅｍｉ−Ｐｅｒｓｉｓｔｅｎｔ  Ｓｃｈｅｄｕｌｉｎｇ）のために設定される。
・  動的グラント又はダウンリンク割り当てについて時間領域割り当て制約違反が生じたと判定したとき、ＵＥは、時間領域割り当て制約に違反しないように（開始，長さ）値の第２のペアを黙示的に決定し、第２の開始位置及び長さの値は、次のようなものになる：
−  第２の開始位置が、第１の開始位置以上である
−  第２の長さの値が、第１の長さの値未満である。
・  ＳＰＳ設定について時間領域割り当て制約違反が生じたと判定したとき、ＵＥは、時間領域割り当て制約に違反しないように、（開始，長さ）値の第２のペアを黙示的に決定し、第２の開始位置及び長さの値は、以下のようなものである：
−  第２の開始位置は、第１の開始位置以上である
−  第２の長さの値は、第１の長さの値以下である。
・  決定された第２のペアの（開始，長さ）値によるＴＢを送信又は受信する
【００２４】
本明細書で開示される問題点のうちの１つ又は複数に対処する様々な実施形態が、本明細書で提案される。
【００２５】
１つの実施形態において、ＵＥは、以下を実施する：
・  第１のペアのうちの少なくとも１つが、時間領域割り当て制約に違反する、第１の開始及び長さペアを有する２つ以上の送信の割り当てを受信すること。
・  時間領域割り当て制約に違反しないように（開始，長さ）の第２のペアを決定すること、違反するペアについて次のような第２の開始及び長さを決定すること：
−  第２の開始は、第１の開始以上である、及び／又は
−  第２の長さは、第１の長さより小さい。
・  修正された割り当てのＴＢを再計算すること
−  ＤＣＩで指示された（開始，長さ）のペアが、違反である場合、ＵＥは、以下のことを行うことができる：
・  第１の（開始，長さ）に基づいてＴＢサイズを決定する、又は、
・  第２の（開始，長さ）に基づいてＴＢサイズを決定する。
・  決定された第２のペアの（開始，長さ）に従って送信又は受信すること。
【００２６】
別の実施形態において、新無線（Ｎｅｗ  Ｒａｄｉｏ）における基地局（ｇＮＢ）は、以下のことを実施する：
・  第１の開始及び長さペアを有する２つ以上の送信の割り当てを送信すること、第１のペアのうちの少なくとも１つは、時間領域割り当て制約に違反する。
・  時間領域割り当て制約に違反しないように（開始，長さ）の第２のペアを決定すること、違反するペアについて、次のような第２の開始及び長さを決定すること：
−  第２の開始は、第１の開始以上である、及び／又は
−  第２の長さは、第１の長さより小さい。
・  修正された割り当てのＴＢを再計算すること
−  ＤＣＩにおいて指示されることになる（開始，長さ）のペアが、違反である場合、ｇＮＢは、以下のことを行うことができる：
・  第１の（開始，長さ）に基づいてＴＢサイズを決定する、又は、
・  第２の（開始，長さ）に基づいてＴＢサイズを決定する。
・  決定された第２のペアの（開始，長さ）に従って送信又は受信すること。
【００２７】
ＵＥ及びｇＮＢは、ＤＣＩにおいて指示された（開始，長さ）の同じ解釈を使用する必要があることが、前述から分かることになる。ＵＥとｇＮＢとの両方は、未使用のＯＦＤＭシンボルの周辺の送信をレートマッチングすることになる、すなわち、これ故に、いくつかの繰り返しが、同じＴＢサイズを有するが他よりも短い（たとえば、ＰＤＳＣＨをサポートするために利用可能なより少数のＯＦＤＭシンボルを有する）ことがあることにより、繰り返し送信は、異なるレートマッチングを使用し得る。
【００２８】
ある種の実施形態は、以下の技術的利点のうちの１つ又は複数を提供することができる。開示される実施形態の利点は、（ａ）ＴＴＩごとのシンボルの名目数が各繰り返しについて実現されることを確実にするための努力の一環としてスロット境界に各繰り返しの開始を厳密に合わせることをＵＥに強制すること、又は（ｂ）各送信イベントのために設定された繰り返しの名目数Ｋを送ることをＵＥに強制することなしに、繰り返されるトランスポートブロック送信が行われ得ることを含む。これは、低レイテンシ動作を維持し、動的グラントを使用するアップリンクデータの送信又はＳＰＳベースの設定されたアップリンクデータ送信のために利用可能な限られた量のリソースを活用しながら、データ送信のロバスト性を高めることにつながることになる。
【００２９】
本明細書で開示される実施形態は、以下のことのうちの１つ又は複数を実行するＵＥ及び／又はｇＮＢを含み得る：第１のペアのうちの少なくとも１つは、時間領域割り当て制約に違反する、第１の開始及び長さペアを有する２つ以上の送信の割り当てを受信又は送信することと、違反するペアについて、第２の開始が第１の開始以上である、及び／又は第２の長さが第１の長さより小さいような、第２の開始及び長さが、決定され得る、時間領域割り当て制約に違反しないように（開始，長さ）の第２のペアを決定することと、ＤＣＩにおいて指示された若しくは指示されることになる（開始，長さ）のペアが、違反である場合、ＴＢサイズが、第１の（開始，長さ）に基づいて決定され得る、又はＴＢサイズが、第２の（開始，長さ）に基づいて決定され得る、修正された割り当てのＴＢを再計算することと、決定された第２のペアの（開始，長さ）に従って送信又は受信すること。
【００３０】
ＵＥ及びｇＮＢは、ＤＣＩにおいて指示された（開始，長さ）の同じ解釈を使用する必要があることが前述のステップ／動作から分かることになる。ＵＥとｇＮＢとの両方が、未使用のＯＦＤＭシンボルの周りの送信をレートマッチングすることになる、すなわち、これ故に、いくつかの繰り返しが、同じＴＢサイズを有するが他よりも短い（たとえば、ＰＤＳＣＨをサポートするために利用可能なより少数のＯＦＤＭシンボルを有する）ことがあることにより、繰り返し送信は、異なるレートマッチングを使用し得る。
【００３１】
いくつかの実施形態において、第２の違反していない（開始，長さ）ペアの決定は、設定された様々な開始及び長さのエントリのテーブルに由来する。
【００３２】
１つの実施形態において、ＵＥ又はｇＮＢは、適切なレートマッチングを使用することによって、決定された第２のペアの（開始，長さ）に従って、送信又は受信する。アップリンク送信の開示される実施形態を使用して、ＵＥは、図３に示すような繰り返されるＰＵＳＣＨ送信を許可され得る。ここで、第１のペアの（開始，長さ）＝（１２，４）。第１の繰り返しの（開始，長さ）ペアは、時間領域割り当て制約に違反する。開示される実施形態は、代わりに第１の繰り返しのために使用するための（開始，長さ）の第２のペア＝（１２，２）をＵＥが決定することを可能にする。残りの繰り返しについて、ＵＥは、第１の（開始，長さ）ペアと繰り返しの設定された数とに基づいて、（開始，長さ）を決定する。
【００３３】
図３は、スロット境界の近くのＰＵＳＣＨ繰り返しのスケジューリングを示す例示的ブロック図である。塗りつぶされたブロック３０２は、ＤＬキャリアでのＰＤＣＣＨでのＵＬグラント送信を示し、一方、影付きのブロック（たとえば、３０４）は、第１の繰り返しは２ＯＦＤＭシンボル長であるが、第２の及び第３の繰り返しは４ＯＦＤＭシンボル長である、３回のＰＵＳＣＨ繰り返しを示す。
【００３４】
１つの実施形態において、第２の違反していない（開始，長さ）ペアの決定は、スロット境界位置に基づく。たとえば、１つの実施形態において、ＵＥは、開始場所は同じに維持されるが、長さはスロット境界位置に合わせられるように、（開始，長さ）の第２のペアを決定する。別の実施形態において、ＵＥは、開始場所はスロット境界位置に合わせられ、長さがそれに応じて適合させられるように、（開始，長さ）の第２のペアを決定する。
【００３５】
１つの実施形態において、第２の違反していない（開始，長さ）ペアの決定は、スロット境界位置及び第１の長さに基づく。
【００３６】
たとえば、スロット境界が、繰り返しの前半に位置する場合、ＵＥは、スロット境界と一致するように開始場所を遅らせ、それに応じて長さを適合させることによって、第２の違反していない（開始，長さ）ペアを決定する。
【００３７】
スロット境界が、繰り返しの後半及び／又は中央に位置する場合、ＵＥは、同じ開始場所を維持するが、スロット境界内に収まるように長さを適合させることによって、第２の違反していない（開始，長さ）ペアを決定する。
【００３８】
開示される実施形態はまた、繰り返しに適用することができ、ＰＤＣＣＨもまた、各データ繰り返しに先立って繰り返される又は送信される。ＰＤＣＣＨはまた、ＰＤＳＣＨと同じ開始シンボルと送信することができ、ＰＤＳＣＨは、ＰＤＳＣＨを割り当てるＰＤＣＣＨのために使用されるリソースの周囲でレートマッチングされる。
【００３９】
図４は、スロット境界の近くのＰＤＳＣＨ繰り返しのスケジューリングを示す例示的ブロック図である。塗りつぶされたブロック４０２は、ＰＤＣＣＨに関するＤＬ割り当てを示し、一方で、影付きのブロック（たとえば、４０４）は、３回のＰＤＳＣＨ繰り返しを示し、第１の繰り返しは、２ＯＦＤＭシンボル長であり、一方、第２の及び第３の繰り返しは、４ＯＦＤＭシンボル長である。
【００４０】
図５は、ＰＤＳＣＨ繰り返しのスケジューリングを示す例示的ブロックである。塗りつぶされたブロック５０２は、ＰＤＣＣＨに関するＤＬ割り当てを示し、一方、影付きのブロック（たとえば、５０４）は、２回のＰＤＳＣＨ繰り返しを示し、第１の繰り返しは、６ＯＦＤＭシンボル長（ＰＤＣＣＨシンボルを含む）であり、第２の繰り返しは、８ＯＦＤＭシンボル長である。ここでは、ミニスロットは長さ８を有し得ると想定される。
【００４１】
再計算されるトランスポートブロック
一実施形態によれば、送信機は、修正された割り当てに従って、これ故に、ＤＣＩにおいて指示された割り当てには従わずに、ＴＢを再計算する。
【００４２】
拡張された割り当て
別の実施形態では、時間割り当てが修正されるとき、周波数割り当てが、ＢＳ（たとえば、ｇＮＢ）とＵＥとの両方で知られている事前に規定されたルールに従って拡張されるように、ＤＣＩ内のリソースエレメントの数は、維持される。１つの例として、周波数割り当ては、キャリアエンドによって制限されるまで、両方向に等しく拡張され得る。
【００４３】
ドロップされる繰り返し
別のセットの実施形態では、スロット境界を横断する送信機会は、短縮されるのではなくて、ドロップされる。これは、前述の図３では、第１の機会は送信されないことになるが、第２の及び第３の機会は送信されることになることを意味する。
【００４４】
図１は、第１の繰り返しがスロット境界を横断することになるので、４ＯＦＤＭシンボルのＰＵＳＣＨ持続期間で送られるＫ回の繰り返しのうちの第１の繰り返しは許されないため、時間領域割り当て制約に違反する、開始及び長さの値の第１のペアの場合を示す。図１に示された特定のＤＣＩを使用してグラントを送ることがこの問題を引き起こすことになることを認識する、ネットワークは、Ｋ回の繰り返しのうちの第１の繰り返しは２シンボル持続期間で送られることを決定し得るが、以下のシナリオによって提供される実施形態に従って残りのＫ−１回の繰り返しを送り得る：
シナリオ１：
・  各繰り返し間のギャップは、名目４シンボルＴＴＩ持続期間が今もなお設定されたベアラパラメータの一部であることにより、維持される。この場合、ギャップは、オフセットとして設定され得る、又は、各繰り返しについて設定されたシンボルの名目数に基づいて（すなわち、名目ＴＴＩ長に基づいて）ＵＥによって黙示的に決定され得る。
・  この方法が使用されると想定すると、次いで、ＤＣＩは、第１の繰り返しの（開始，長さ）＝（１２，２）を示すことになり、４ＯＦＤＭシンボルの繰り返しごとのシンボルの名目数がギャップサイズを決定するために使用され、その他の開始／長さの値は、次のスロットにおいて（２，２）及び（６，２）で生じる（すなわち、すべての繰り返しは、２シンボルＴＴＩ持続期間を使用して送られる）と黙示的に決定されることになる。
シナリオ２：
・  各繰り返し間のギャップは維持されず、ＵＥは、すべてのＫ回の繰り返しのＴＴＩごとの名目４シンボル持続期間を無視する。この場合、ＵＥは、残りのＫ−１回の繰り返しは、Ｋ回の繰り返しのうちの繰り返し間のギャップなしに、２シンボルＴＴＩ持続期間を使用して送られることになる、と黙示的に理解する。
シナリオ３：
・  ネットワークが、２シンボル持続期間を有するＫ回の繰り返しのうちの第１の繰り返しをスケジューリングし、すべての残りのＫ−１回の繰り返しは、ＴＴＩごとの名目４シンボル持続期間を有して送られる。この場合、ＵＥは、残りのＫ−１回の繰り返しは、Ｋ回の繰り返しのうちの繰り返し間のギャップなしに、ＴＴＩごとの名目４シンボル持続期間を使用して送られることになる、と黙示的に理解する。
【００４５】
開示される実施形態の概念はまた、別の実施形態を可能にし、ＵＥは、Ｋ回のトランスポートブロックの繰り返しのうちの第１の繰り返しを送るためのリソースでスケジューリングされ、開始及び長さの値の第１のペア（ＤＣＩ及び繰り返し持続期間によって示されるものとしての）は、時間領域割り当て制約に違反しないが、後続の繰り返しのうちの１回又は複数回の繰り返しの送信は、境界制約により、不可能である。
・  この場合、ネットワークとＵＥとの両方は、問題のある後続の繰り返しは、ＴＴＩごとの名目４シンボル未満の持続期間を使用して送られる、と黙示的に理解する。
・  すべてのＫ回の繰り返しは、２シンボルのＴＴＩ長を使用して送られるので、これは、前述のシナリオ１及び２の文脈の中で問題にならない。
・  前述のシナリオ３について、ＵＥは、２シンボルを使用して問題のある後続の繰り返しを最初に送り、次いで、それを２シンボル（ギャップのない）を使用する問題のある繰り返しの送信に続く第１の送信機会においてＴＴＩごとのシンボルの名目数を再び使用して送ることである、と黙示的に理解する。
【００４６】
付加的実施形態は、アップリンク送信が、Ｋ回の繰り返しの組合せを使用して実行される場合であり、いくつかはＴＴＩごとの名目４シンボル持続期間を反映し、いくつかは反映しない：
・  この場合、ネットワーク及びＵＥは、Ｋ回の繰り返しのそれぞれが名目ＴＴＩシンボル持続期間を使用して送られることになる（すなわち、ＴＴＩごとの名目４シンボル未満の持続期間を使用して送られる繰り返しは、必要とされる繰り返しの総数Ｋに加算されない効果的補足的送信である）ことを必要とするとして、グラントを黙示的に理解することができる。
・  別法として、アップリンク送信が、いくつかは名目４シンボル持続期間を反映する及びいくつかは反映しない、繰り返しの組合せを使用して実行されるとき、次いで、ネットワーク及びＵＥは、ＴＴＩごとの名目４シンボル持続期間又はＴＴＩごとの名目４シンボル未満の持続期間のいずれかを使用して送られる繰り返しが、Ｋ回の必要とされる繰り返しのセットの一部としてまだ数えられることを意味するとして、グラントを黙示的に理解することができる。
【００４７】
付加的実施形態は、動的グラント（前述のような）ではなくて半永久的スケジューリング（ＳＰＳ）の文脈の中でＫ回のトランスポートブロックの繰り返しの概念を含み、対応する定期的な事前に設定されたアップリンク送信機会は、送信のために利用可能なアップリンクペイロードをＵＥが有することが通常は予期され得る時刻を考慮することなしに、決定され得る。そのようなものとして、データ送信遅延を最小限に抑えるために、ＵＥは、データが利用可能になった後に、可能な限り速やかに（そのＳＰＳリソースの範囲内で）アップリンクデータ送信をトリガすることを可能にされるべきである。データ利用可能性とデータ送信の開始との間のこの遅延は、アラインメント遅延として知られ、それは、Ｋ回のＴＢ繰り返しのうちの第１の繰り返しの送信がその設定されたＳＰＳリソースを含むシンボルのセット内の任意のシンボルを使用して開始することを可能にすることによって、最小限に抑えることができる。しかしながら、実際には、これは、スロット境界より前の残りのシンボルの数がＴＴＩごとのシンボルの名目数より少なくなり得ることを考慮するときに、繰り返しのうちの第１の繰り返しの送信がどこで開始し得るかを指示するルールのセットの必要性をもたらすことになる。そのようなルールのセットの一例は、以下のとおりである：
・  スロット境界の前に１シンボルが残っており、設定されたミニスロットのサイズが２（名目ＴＴＩ持続期間＝２シンボル）である場合、次いで、実際に、Ｋ回の繰り返しのうちの第１の繰り返しは、スロット境界の後の第１のシンボルにおいて開始し得る（追加の１シンボルのアラインメント遅延は、受け入れ可能と考えられる）。
・  スロット境界より前に１シンボルが残っており、設定されたミニスロットのサイズが４である場合、次いで、実際に、Ｋ回の繰り返しのうちの第１の繰り返しは、スロット境界の後の第１のシンボルにおいて開始し得る（追加の１シンボルのアラインメント遅延は、受け入れ可能と考えられる）。そうではない場合、最初の繰り返しの２又は３シンボルボーナス送信が、スロット境界より前に送られる。そのようなボーナス送信を名目セットのＫ回の繰り返しのうちの１つとして数えるか否かは、無線ベアラ設定に基づいて決定され得る。
・  スロット境界の前に３つ以下のシンボルが残っており、設定されたミニスロットのサイズが７である場合、次いで、実際に、Ｋ回の繰り返しのうちの第１の繰り返しは、スロット境界の後の第１のシンボルにおいて開始し得る（追加の１又は２又は３シンボルのアラインメント遅延は、受け入れ可能と考えられる）。そうではない場合、最初の繰り返しの４又は５又は６シンボルボーナス送信が、スロット境界より前に送られる。そのようなボーナス送信を名目セットのＫ回の繰り返しのうちの１つとして数えるか否かは、無線ベアラ設定に基づいて決定され得る。
【００４８】
所与のＳＰＳ設定のためのアップリンク時間領域リソースの連続的ＵＥ所有権は、現実的ではないので、任意のＳＰＳ設定に関連する限られた時間領域所有権が存在する必要があることになる。これは、次いで、ＳＰＳリソースの所有権の残りの時間が、ＳＰＳベースのアップリンクデータ送信のために使用される名目設定パラメータに従ってすべてのＫ回の繰り返しをＵＥが送信することを可能にすることにならないときに対して適用可能なルールのセットを決定する必要性をもたらす。
・  この場合、ＵＥが、少なくともＫ−１回の繰り返しを送ることができる場合には、ＵＥは、たとえば、アップリンクデータ送信のみを試みることができ、それぞれの送信される繰り返しは、ＴＴＩごとのシンボルの名目数を使用して送られ得る。
【００４９】
図６は、例示的ワイヤレスネットワークを示すブロック図である。本明細書に記載の主題は、任意の適切な構成要素を使用する任意の適切なタイプのシステムにおいて実施され得るが、本明細書で開示される実施形態は、図６に示す例示的ワイヤレスネットワークなどのワイヤレスネットワークに関して説明される。簡潔にするために、図６のワイヤレスネットワークには、ネットワーク６０６、ネットワークノード６６０及び６６０ｂ、及びＷＤ６１０、６１０ｂ、及び６１０ｃのみを示す。実際には、ワイヤレスネットワークはさらに、ワイヤレスデバイスの間の或いはワイヤレスデバイスと別の通信デバイス、たとえば、固定電話、サービスプロバイダ、又は任意の他のネットワークノード若しくはエンドデバイス、との間の通信をサポートするのに適した任意の追加の要素を含み得る。図示されている構成要素のうち、ネットワークノード６６０及びワイヤレスデバイス（ＷＤ）６１０は、付加的詳細を有して図示されている。ワイヤレスネットワークは、ワイヤレスネットワークによって又はワイヤレスネットワークを介して提供されるサービスへのワイヤレスデバイスのアクセス及び／又はそのようなサービスの使用を容易にするために、通信及び他のタイプのサービスを１つ又は複数のワイヤレスデバイスに提供することができる。
【００５０】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又は手続きに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００５１】
ネットワーク６０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【００５２】
ネットワークノード６６０及びＷＤ６１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００５３】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００５４】
図６において、ネットワークノード６６０は、処理回路６７０、デバイス可読媒体６８０、インターフェース６９０、補助機器６８４、電源６８６、電力回路６８７、及びアンテナ６６２を含む。図６の例示的ワイヤレスネットワークに示されたネットワークノード６６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード６６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体６８０は、複数の別個のハードドライブ並びに複数のＲＡＭモジュールを備え得る）。
【００５５】
同様に、ネットワークノード６６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード６６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード６６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体６８０）、いくつかの構成要素は再使用され得る（たとえば、同じアンテナ６６２がＲＡＴによって共用され得る）。ネットワークノード６６０はまた、たとえば、ＧＳＭ、ＷＣＤＭＡ、ＬＴＥ、ＮＲ、ＷｉＦｉ、又はブルートゥースワイヤレス技術など、ネットワークノード６６０に統合された異なるワイヤレス技術のための様々な図示された構成要素の複数のセットを含み得る。これらのワイヤレス技術は、ネットワークノード６６０内の同じ又は異なるチップ又はチップのセット及び他の構成要素内に統合され得る。
【００５６】
処理回路６７０は、ネットワークノードによって提供されているものとして本明細書に記載された任意の判定、計算又は類似の動作（たとえば、ある種の取得動作）を実行するように設定される。処理回路６７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路６７０によって取得された情報を処理すること、並びに前記処理の結果として判定を行うことを含み得る。
【００５７】
処理回路６７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体６８０などの他のネットワークノード６６０構成要素と併せて、ネットワークノード６６０機能を提供するように動作可能なハードウェア、ソフトウェア及び／又は符号化されたロジックの組合せを備え得る。たとえば、処理回路６７０は、デバイス可読媒体６８０に又は処理回路６７０内のメモリに記憶された命令を実行し得る。そのような機能性は、本明細書で論じられる様々なワイヤレス特徴、機能、又は利益のいずれかの提供を含み得る。一部の実施形態では、処理回路６７０は、システムオンチップ（ＳＯＣ）を含み得る。
【００５８】
一部の実施形態では、処理回路６７０は、無線周波数（ＲＦ）トランシーバ回路６７２及びベースバンド処理回路６７４のうちの１つ又は複数を含み得る。一部の実施形態では、無線周波数（ＲＦ）トランシーバ回路６７２及びベースバンド処理回路６７４は、別個のチップ（又はチップのセット）、ボード、又は、無線ユニット及びデジタルユニットなどのユニット上でもよい。代替実施形態において、ＲＦトランシーバ回路６７２及びベースバンド処理回路６７４の一部又はすべては、同じチップ又はチップのセット、ボード、又はユニット上でもよい。
【００５９】
ある種の実施形態では、ネットワークノード、基地局、ｅＮＢ又は他のそのようなネットワークデバイスによって提供されているものとしての本明細書に記載の機能性の一部又はすべては、デバイス可読媒体６８０又は処理回路６７０内のメモリに記憶された命令を実行する処理回路６７０によって実行され得る。代替実施形態において、機能性のうちの一部又はすべては、ハードワイヤード方式などで、別個の又はディスクリートデバイスの可読媒体に記憶された命令を実行することなしに処理回路６７０によって提供され得る。それらの実施形態のいずれにおいてでも、デバイス可読記憶媒体に記憶された命令を実行してもしなくても、処理回路６７０は、記載された機能を実行するように設定することができる。そのような機能によってもたらされる利益は、単独で処理回路６７０に又はネットワークノード６６０の他の構成要素に制限されないが、ネットワークノード６６０全体によって、並びに／或いは一般にエンドユーザ及びワイヤレスネットワークによって享受される。
【００６０】
デバイス可読媒体６８０は、処理回路６７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体６８０は、コンピュータプログラム、ソフトウェア、ロジック、ルール、コード、テーブルなどのうちの１つ又は複数を含むアプリケーション、及び／又は処理回路６７０によって実行することができる及びネットワークノード６６０によって使用することができる他の命令を含む、任意の適切な命令、データ又は情報を記憶し得る。デバイス可読媒体６８０は、処理回路６７０によって行われる任意の計算及び／又はインターフェース６９０を介して受信される任意のデータを記憶するために使用され得る。一部の実施形態では、処理回路６７０及びデバイス可読媒体６８０は、統合されると考えられ得る。
【００６１】
インターフェース６９０は、ネットワークノード６６０、ネットワーク６０６、及び／又はＷＤ６１０の間のシグナリング及び／又はデータのワイヤード又はワイヤレス通信において使用される。図示されているように、インターフェース６９０は、たとえば、ワイヤード接続を介してネットワーク６０６に及びネットワーク６０６から、データを送信及び受信するために、ポート／端末６９４を備える。インターフェース６９０はまた、アンテナ６６２に連結され得る又はある種の実施形態においてアンテナ６６２の一部であることがある、無線フロントエンド回路６９２を含む。無線フロントエンド回路６９２は、フィルタ６９８及び増幅器６９６を備える。無線フロントエンド回路６９２は、アンテナ６６２及び処理回路６７０に接続され得る。無線フロントエンド回路は、アンテナ６６２と処理回路６７０との間で通信される信号を調整するように設定され得る。無線フロントエンド回路６９２は、ワイヤレス接続を介して他のネットワークノード又はＷＤに送出されることになるデジタルデータを受信し得る。無線フロントエンド回路６９２は、フィルタ６９８及び／又は増幅器６９６の組合せを使用する適切なチャネル及び帯域幅パラメータを有する無線信号にデジタルデータを変換し得る。無線信号は、次いで、アンテナ６６２を介して送信され得る。同様に、データを受信するとき、アンテナ６６２は、次いで無線フロントエンド回路６９２によってデジタルデータに変換される無線信号を収集し得る。デジタルデータは、処理回路６７０に渡され得る。他の実施形態において、インターフェースは、異なる構成要素及び／又は異なる組合せの構成要素を備え得る。
【００６２】
ある種の代替実施形態において、ネットワークノード６６０は、別個の無線フロントエンド回路６９２を含まないことがあり、代わりに、処理回路６７０が、無線フロントエンド回路を備え得、別個の無線フロントエンド回路６９２なしにアンテナ６６２に接続され得る。同様に、一部の実施形態では、すべての又は一部のＲＦトランシーバ回路６７２は、インターフェース６９０の一部と考えられ得る。さらに他の実施形態において、インターフェース６９０は、１つ又は複数のポート又は端末６９４、無線フロントエンド回路６９２、並びにＲＦトランシーバ回路６７２、無線ユニット（図示せず）の一部としての、を含み得、そして、インターフェース６９０は、デジタルユニット（図示せず）の一部であるベースバンド処理回路６７４と通信し得る。
【００６３】
アンテナ６６２は、ワイヤレス信号を送信及び／又は受信するように設定された、１つ又は複数のアンテナ、又はアンテナアレイを含み得る。アンテナ６６２は、無線フロントエンド回路６９０に結合され得、ワイヤレスにデータ及び／又は信号を送信及び受信する能力を有する任意のタイプのアンテナでもよい。一部の実施形態では、アンテナ６６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ６６２は、ネットワークノード６６０とは別個でもよく、インターフェース又はポートを介してネットワークノード６６０に接続可能になり得る。
【００６４】
アンテナ６６２、インターフェース６９０、及び／又は処理回路６７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ６６２、インターフェース６９０、及び／又は処理回路６７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【００６５】
電力回路６８７は、電力管理回路を備え得る、又はこれに連結され得、本明細書に記載の機能性を実行するための電力をネットワークノード６６０の構成要素に供給するように設定される。電力回路６８７は、電源６８６から電力を受信し得る。電源６８６及び／又は電力回路６８７は、それぞれの構成要素に適した形でネットワークノード６０６の様々な構成要素に電力を提供する（たとえば、それぞれの構成要素のために必要とされる電圧及び電流レベルで）ように設定され得る。電源６８６は、電力回路６８７及び／又はネットワークノード６６０に含まれても、これらの外部でもよい。たとえば、ネットワークノード６６０は、電気ケーブルなどの入力回路又はインターフェースを介して外部電源（たとえば、電気コンセント）に接続可能になり得、それにより、外部電源が電力回路６８７に電力を供給する。さらなる例として、電源６８６は、電力回路６８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００６６】
ネットワークノード６６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図６に示されたものを超える追加の構成要素を含み得る。たとえば、ネットワークノード６６０は、ネットワークノード６６０への情報の入力を可能にするために、及びネットワークノード６６０からの情報の出力を可能にするために、ユーザインターフェース機器を含み得る。これは、ネットワークノード６６０のための診断、メンテナンス、修理、及び他の管理機能をユーザが実行することを可能にし得る。
【００６７】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、Ｖ２Ｖ（ｖｅｈｉｃｌｅ−ｔｏ−ｖｅｈｉｃｌｅ）、Ｖ２Ｉ（ｖｅｈｉｃｌｅ−ｔｏ−ｉｎｆｒａｓｔｒｕｃｔｕｒｅ）、Ｖ２Ｘ（ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの特定の例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末とも称され得る。
【００６８】
図示されているように、ワイヤレスデバイス６１０は、アンテナ６１１、インターフェース６１４、処理回路６２０、デバイス可読媒体６３０、ユーザインターフェース機器６３２、補助機器６３４、電源６３６及び電力回路６３７を含む。ＷＤ６１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ６１０によってサポートされる異なるワイヤレス技術のための、図示された構成要素のうちの１つ又は複数の構成要素の複数のセットを含み得る。これらのワイヤレス技術は、ＷＤ６１０内の他の構成要素と同じ又は異なるチップ又はチップのセットに統合され得る。
【００６９】
アンテナ６１１は、ワイヤレス信号を送信及び／又は受信するように設定された１つ又は複数のアンテナ又はアンテナアレイを含み得、インターフェース６１４に接続される。ある種の代替実施形態において、アンテナ６１１は、ＷＤ６１０とは別個でもよく、インターフェース又はポートを介してＷＤ６１０に接続可能になり得る。アンテナ６１１、インターフェース６１４、及び／又は処理回路６２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ６１１は、インターフェースと考えられ得る。
【００７０】
図示されているように、インターフェース６１４は、無線フロントエンド回路６１２及びアンテナ６１１を備える。無線フロントエンド回路６１２は、１つ又は複数のフィルタ６１８及び増幅器６１６を備える。無線フロントエンド回路６１４は、アンテナ６１１及び処理回路６２０に接続され、アンテナ６１１と処理回路６２０との間で通信される信号を調整するように設定される。無線フロントエンド回路６１２は、アンテナ６１１に連結され得る、又はアンテナ６１１の一部でもよい。一部の実施形態では、ＷＤ６１０は、別個の無線フロントエンド回路６１２を含まないことがあり、そうではなくて、処理回路６２０は、無線フロントエンド回路を備え得、アンテナ６１１に接続され得る。同様に、一部の実施形態では、ＲＦトランシーバ回路６２２の一部又はすべては、インターフェース６１４の一部と考えられ得る。無線フロントエンド回路６１２は、ワイヤレス接続を介して他のネットワークノード又はＷＤに送出されることになるデジタルデータを受信し得る。無線フロントエンド回路６１２は、フィルタ６１８及び／又は増幅器６１６の組合せを使用して適切なチャネル及び帯域幅パラメータを有する無線信号にデジタルデータを変換し得る。無線信号は、次いで、アンテナ６１１を介して送信され得る。同様に、データを受信しているとき、アンテナ６１１は、次いで無線フロントエンド回路６１２によってデジタルデータに変換される、無線信号を収集し得る。デジタルデータは、処理回路６２０に渡され得る。他の実施形態において、インターフェースは、異なる構成要素及び／又は異なる組合せの構成要素を備え得る。
【００７１】
処理回路６２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体６３０などの他のＷＤ６１０構成要素と連動して、ＷＤ６１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路６２０は、本明細書で開示される機能性を提供するために、デバイス可読媒体６３０に又は処理回路６２０内のメモリに記憶された命令を実行し得る。
【００７２】
図示されているように、処理回路６２０は、ＲＦトランシーバ回路６２２、ベースバンド処理回路６２４、及びアプリケーション処理回路６２６のうちの１つ又は複数を含む。他の実施形態において、処理回路は、異なる構成要素及び／又は異なる組合せの構成要素を備え得る。ある種の実施形態では、ＷＤ６１０の処理回路６２０は、ＳＯＣを備え得る。一部の実施形態では、ＲＦトランシーバ回路６２２、ベースバンド処理回路６２４、及びアプリケーション処理回路６２６は、別個のチップ又はチップのセット上にあることがある。代替実施形態において、ベースバンド処理回路６２４及びアプリケーション処理回路６２６の一部又はすべては、１つのチップ又はチップのセット内に結合され得、ＲＦトランシーバ回路６２２は、別個のチップ又はチップのセット上にあってもよい。さらに代替実施形態において、ＲＦトランシーバ回路６２２及びベースバンド処理回路６２４の一部又はすべては、同じチップ又はチップのセット上にあることがあり、アプリケーション処理回路６２６は、別個のチップ又はチップのセット上にあることがある。さらに他の代替実施形態において、ＲＦトランシーバ回路６２２、ベースバンド処理回路６２４、及びアプリケーション処理回路６２６の一部又はすべては、同じチップ又はチップのセット内に結合され得る。一部の実施形態では、ＲＦトランシーバ回路６２２は、インターフェース６１４の一部でもよい。ＲＦトランシーバ回路６２２は、処理回路６２０のＲＦ信号を調整し得る。
【００７３】
ある種の実施形態では、ＷＤによって実行されるものとして本明細書に記載の機能性の一部又はすべては、ある種の実施形態ではコンピュータ可読記憶媒体であることがある、デバイス可読媒体６３０に記憶された命令を実行する処理回路６２０によって提供され得る。代替実施形態において、機能性の一部の又はすべては、ハードワイヤード方式などで、別個の又はディスクリートデバイスの可読記憶媒体に記憶された命令を実行することなしに処理回路６２０によって提供され得る。それらの特定の実施形態のいずれかにおいて、デバイス可読記憶媒体に記憶された命令を実行してもしなくても、処理回路６２０は、記載された機能性を実行するように設定することができる。そのような機能性によって提供される利益は、単独で処理回路６２０に又はＷＤ６１０の他の構成要素に限定されず、全体としてのＷＤ６１０によって、及び／又は一般にエンドユーザ及びワイヤレスネットワークによって、享受される。
【００７４】
処理回路６２０は、ＷＤによって実行されるものとして本明細書に記載された任意の決定、計算、又は類似の動作（たとえば、ある種の取得動作）を実行するように設定され得る。処理回路６２０によって実行されるものとしての、これらの動作は、たとえば、取得された情報を他の情報に変換すること、取得された情報又は変換された情報をＷＤ６１０によって記憶された情報と比較すること、及び／又は取得された情報又は変換された情報に基づいて１つ又は複数の動作を実行することにより、処理回路６２０によって取得された情報を処理すること、並びに前記処理の結果として判定を行うことを含み得る。
【００７５】
デバイス可読媒体６３０は、コンピュータプログラム、ソフトウェア、ロジック、ルール、コード、テーブルなどのうちの１つ又は複数を含むアプリケーション及び／又は処理回路６２０によって実行することが可能な他の命令を記憶するように動作可能になり得る。デバイス可読媒体６３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路６２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路６２０及びデバイス可読媒体６３０は、統合されると考えられ得る。
【００７６】
ユーザインターフェース機器６３２は、人間のユーザがＷＤ６１０と相互作用することを可能にする構成要素を提供し得る。そのような相互作用は、視覚、聴覚、触覚などの多数の形態をとり得る。ユーザインターフェース機器６３２は、ユーザへの出力を生み出すように及びユーザが入力をＷＤ１６０に提供することを可能にするように動作可能になり得る。相互作用のタイプは、ＷＤ１６０にインストールされたユーザインターフェース機器１３２のタイプに応じて変化し得る。たとえば、ＷＤ６１０がスマートフォンである場合には、相互作用はタッチスクリーンを介し得、ＷＤ６１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器６３２は、入力インターフェース、デバイス及び回路と、出力インターフェース、デバイス及び回路とを含み得る。ユーザインターフェース機器６３２は、ＷＤ６１０への情報の入力を可能にするように設定され、処理回路６２０に接続されて処理回路６２０が入力情報を処理することを可能にする。ユーザインターフェース機器６３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器６３２はまた、ＷＤ６１０からの情報の出力を可能にするように、及び処理回路６２０がＷＤ６１０から情報を出力することを可能にするように設定される。ユーザインターフェース機器６３２は、たとえば、スピーカ、ディスプレイ、振動回路、ＵＳＢポート、ヘッドフォンインターフェース、又は他の出力回路を含み得る。ユーザインターフェース機器６３２の１つ又は複数の入力及び出力インターフェース、デバイス、及び回路を使用し、ＷＤ６１０は、エンドユーザ及び／又はワイヤレスネットワークと通信することができ、それらが本明細書に記載の機能性から利益を得ることを可能にし得る。
【００７７】
補助機器６３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器６３４の構成要素の包含及びタイプは、実施形態及び／又はシナリオに応じて異なり得る。
【００７８】
一部の実施形態では、電源６３６は、バッテリ又はバッテリパックの形でもよい。外部電源（たとえば、電気コンセント）、光電池デバイス又は動力電池など、他のタイプの電源もまた使用され得る。ＷＤ６１０はさらに、本明細書に記載又は示された任意の機能性を実行するために電源６３６からの電力を必要とするＷＤ６１０の様々な部分に電源６３６から電力を届けるための電力回路６３７を備え得る。ある種の実施形態では、電力回路６３７は、電力管理回路を備え得る。電力回路６３７は、付加的に又は別法として外部電源から電力を受信するように動作可能になり得、その場合、ＷＤ６１０は、入力回路又は電気動力ケーブルなどのインターフェースを介して外部電源（電気コンセントなど）に接続可能になり得る。ある種の実施形態では、電力回路６３７はまた、外部電源から電源６３６に電力を届けるように動作可能になり得る。これは、たとえば、電源６３６の充電のためでもよい。電力回路６３７は、任意のフォーマッティング、変換、又は他の修正を電源６３６からの電力に実行して、電力を、電力が供給される先のＷＤ６１０のそれぞれの構成要素に適するようにさせることができる。
【００７９】
図７は、無線アクセスネットワークにおいてトランスポートブロックの繰り返しを通信するための例示的方法を示す流れ図である。本方法は、ワイヤレスデバイス（たとえば、ユーザデバイス）及び／又は関連ネットワークノード（たとえば、基地局）によって実行され得る。ワイヤレスデバイスは、ワイヤレスデバイス（たとえば、ワイヤレスデバイス６１０）のうちの１つでもよく、ネットワークノードは、図６に示されているネットワークノード（たとえば、ネットワークノード６６０）のうちの１つでもよいことが分かる。
【００８０】
ステップ７０２で、ワイヤレスデバイス及び／又はネットワークノードは、第１の開始及び長さペアを有する２つ以上の送信に対応する無線リソースの割り当てを通信し、各送信はトランスポートブロックの繰り返しを含み、第１の開始及び長さペアのうちの少なくとも１つは、時間領域割り当て制約に違反する。本例では、ネットワークノードは、割り当てをワイヤレスデバイスに送信し、ワイヤレスデバイスは割り当てを受信する。
【００８１】
ステップ７０４で、ワイヤレスデバイス及び／又はネットワークノードが、時間領域割り当て制約に違反しないように２つ以上の送信の第２の開始及び長さペアを決定する。
【００８２】
本例では、時間領域割り当て制約に違反する第１の開始及び長さペアのうちの少なくとも１つについて、ワイヤレスデバイス及び／又はネットワークノードは、（ｉ）第１の開始値以上の第２の開始値及び／又は（ｉｉ）第１の長さの値未満の第２の長さの値を決定する。さらに、時間領域割り当て制約に違反する第１の開始及び長さペアのうちの少なくとも１つについて、ワイヤレスデバイス及び／又はネットワークノードは、（ｉ）第１の開始及び長さペア、又は（ｉｉ）第２の開始及び長さペアに基づいて、トランスポートブロックサイズを決定する。
【００８３】
いくつかの例では、ワイヤレスデバイス及び／又はネットワークノードは、スロット境界位置及び／又は第１の開始及び長さペア内の第１の長さに基づいて、第２の開始及び長さペアを決定する。いくつかの例では、第２の開始及び長さペアは、設定された様々な開始及び長さのエントリのテーブルから決定される。
【００８４】
ステップ７０６で、ワイヤレスデバイス及び／又はネットワークノードは、決定された第２の開始及び長さペアに従って、２つ以上の送信を通信する。本例では、ワイヤレスデバイスは、２つ以上の送信をネットワークノードに送信し、ネットワークノードは、２つ以上の送信を受信する。
【００８５】
例示的実施形態は、コンピュータ実装方法、装置（システム及び／又はデバイス）及び／又はコンピュータプログラム製品のブロック図及び／又は流れ図の図解を参照して、本明細書で説明されている。ブロック図及び／又は流れ図の図解のブロック、及びブロック図及び／又は流れ図の図解内のブロックの組合せは、１つ又は複数のコンピュータ回路によって実行されるコンピュータプログラム命令によって実施することができる。コンピュータ及び／又は他のプログラマブルデータ処理装置のプロセッサを介して実行する命令が、トランジスタ、記憶場所に記憶された値、及びそのような回路内の他のハードウェア構成要素を変換及び制御して、ブロック図及び／又は流れ図の１つ又は複数のブロックにおいて指定された機能／活動を実施し、それにより、ブロック図及び／又は流れ図のブロックにおいて指定された機能／活動を実施するための手段（機能性）及び／又は構造を作り出すように、これらのコンピュータプログラム命令は、汎用コンピュータ回路、専用コンピュータ回路、及び／又は他のプログラマブルデータ処理回路のプロセッサ回路に提供されてマシンを製作することができる。
【００８６】
これらのコンピュータプログラム命令はまた、コンピュータ可読媒体に記憶された命令が、ブロック図及び／又は流れ図の１つ又は複数のブロックにおいて指定された機能／活動を実施する命令を含む製造品を製作するように、特定の方式で機能するようにコンピュータ又は他のプログラマブルデータ処理装置に指示することができる有形コンピュータ可読媒体に記憶され得る。したがって、本発明の概念の実施形態は、「回路」、「モジュール」又はその変形形態として総称され得る、ハードウェアにおいて及び／又はデジタル信号プロセッサなどのプロセッサで実行するソフトウェア（ファームウェア、常駐ソフトウェア、マイクロコードなどを含む）において実施され得る。
【００８７】
いくつかの代替実装形態では、ブロック内に示された機能／活動は、流れ図に示された順番以外の順番で生じ得ることにも留意されたい。たとえば、連続して示された２つのブロックは、実際には、実質的に同時に実行され得る、或いは、それらのブロックは、関係する機能性／活動に応じて、時には、逆の順番で実行され得る。さらに、流れ図及び／又はブロック図の所与のブロックの機能性は、複数のブロックに分けることができ、及び／又は流れ図及び／又はブロック図の２つ以上のブロックの機能性は、少なくとも部分的に統合され得る。最後に、他のブロックが、図示されているブロックの間に追加／挿入され得、及び／又はブロック／動作は、発明の概念の範囲を逸脱することなく省略され得る。さらに、図のうちのいくつかは、通信の１次方向を示すために通信パス上に矢印を含むが、通信は、示されている矢印に対して反対方向で生じ得ることを理解されたい。
【００８８】
多数の変更及び修正が、本発明の概念の原理を実質的に逸脱することなく、実施形態に行われ得る。すべてのそのような変更及び修正は、本明細書では、本発明の概念の範囲内に含まれると意図される。したがって、前述の開示された主題は、例示であり、制限ではないと見なされるべきであり、実施形態の例は、本発明の概念の趣旨及び範囲内にある、すべてのそのような修正、強化、及び他の実施形態を包含すると意図される。したがって、法によって許される最大限まで、本発明の概念の範囲は、実施形態の例及びそれらの同等物を含む本開示の最も広い許容される解釈によって決定されるべきであり、前述の詳細な説明によって制約又は制限されないものとする。
【図１】
2021522712.tif 000003
【図２】
2021522712.tif 000004
【図３】
2021522712.tif 000005
【図４】
2021522712.tif 000006
【図５】
2021522712.tif 000007
【図６】
2021522712.tif 000008
【図７】
2021522712.tif 000009
【国際調査報告】
2021522712.tif 000010